(57)【要約】【課題】  モータを収納するケースを簡単な構成で前面扉の厚さに合わせて延長し、多機種の遊技機に共用できる施錠装置を提供する。【解決手段】  施錠機構のカム５を駆動するモータ１０をケース１２に収納し、パイプ１３をケース１２に伸縮自在に組み合わせる。パイプ１３の周壁にスリット２３を形成し、スリット２３にケース１２のストッパ２５を嵌合する。スリット２３に複数の係止部２４を設け、パイプ１３の回動により一つの係止部２４をストッパ２５に選択的に係合し、ケース１２とパイプ１３を伸縮不能に結合する。ケース１２に突起２７を出没自在に設け、突出位置の突起２７をパイプ１３の長溝２６に嵌合し、パイプ１３の回動を規制する。【選択図】        図１
2008245772.tif 000002
【特許請求の範囲】
【請求項１】
遊技機の施錠機構を駆動するモータと、モータを収納するケースとを備え、ケースを前面扉の貫通孔に挿入した施錠装置において、ケースを前面扉の厚さに合わせて延長するパイプを備え、パイプをケースに伸縮自在に組み合わせ、ケースの周面にストッパを突設し、パイプの周壁にストッパに嵌合するスリットを貫通孔の軸線方向へ長く形成し、スリットの長手方向複数箇所にパイプの回動によりストッパに選択的に係合する係止部を設けたことを特徴とする遊技機の施錠装置。
【請求項２】
前記パイプの周壁にスリットと平行に延びる長溝を形成し、ケースの周面に長溝に嵌合する突起を出没自在に設け、突出位置の突起によりパイプの回動を規制することを特徴とする請求項１記載の遊技機の施錠装置。
【請求項３】
遊技機の施錠機構を駆動するモータと、モータを収納するケースとを備え、ケースを前面扉の貫通孔に挿入した施錠装置において、ケースを前面扉の厚さに合わせて延長するキャップを備え、所要数のキャップをそれぞれに形成した凹部と凸部の嵌合により組み合わせてケースの前端に接続したことを特徴とする遊技機の施錠装置。
【発明の詳細な説明】
【技術分野】
【０００１】
本発明は、遊技機の前面扉を機枠に施錠する施錠装置に関する。
【背景技術】
【０００２】
パチンコ機やスロットマシン等の遊技機は、通常、前面扉を機枠に施錠する機構を備えている。例えば、図９に示すパチンコ機１では、前面扉２の背面側に施錠機構３が設けられている。この施錠機構３は複数本のリンク４とカム５とを備え、リンク４の先端に掛止爪６が設けられ、パチンコ機１の機枠７に掛止金具８が取り付けられている。そして、手動式または電動式の施錠装置によりカム５を駆動し、リンク４を介して掛止爪６を掛止金具８に係脱し、前面扉２を機枠７に施錠または解錠できるように構成されている。
【０００３】
手動式施錠装置の場合は、カム５を駆動するシリンダ錠が前面扉２の貫通孔に挿入されている（例えば、特許文献１）。電動式施錠装置の場合は、通常、既設の施錠機構３を共用できるように、モータを収納したケースがシリンダ錠にかえて前面扉２の貫通孔に挿入される。ところが、前面扉２の厚さは、図９に鎖線で示すように、遊技機のメーカや機種によって多様に変化し、それに応じて貫通孔の長さも相違する。貫通孔よりも長いケースは前面扉２の前方に突出し、貫通孔より短いケースは貫通孔の前端部に空洞を生じ、どちらも前面扉２の見栄えを悪くするうえ、不正行為を誘引しやすい。
【０００４】
そこで、従来、図１０に示すような施錠装置が知られている（特許文献２）。この施錠装置５１は、前面扉２の貫通孔９に挿入されるケース５２を三分割して、カム５側のボトムケース５３と、モータ１０を収めるトップケース５４と、トップケース５４をボトムケース５３に結合するジョイントケース５５とから構成している。そして、図１０（ａ）〜（ｃ）に示すように、長さが異なる複数のジョイントケース５５を交換することで、ケース５２の全長を前面扉２の厚さに合わせて変更するようになっている。
【特許文献１】特開２００５−７３８７７号公報
【特許文献２】特開２００６−６２４号公報
【発明の開示】
【発明が解決しようとする課題】
【０００５】
ところが、従来の施錠装置５１によると、貫通孔の空洞部を埋めるために長さが異なる複数本のジョイントケース５５を用意する必要があった。ジョイントケース５５の長さが変わると、モータ１０の出力軸１０ａをカム軸５６に連結する連結軸５７の長さも変化するため、前面扉２の厚さに応じて多数の交換部品を用意する必要もあった。また、ジョイントケース５５の交換に際しては、その両端をボトムケース５３とトップケース５４にカシメ等により接続する必要があり、手動式施錠装置を電動式施錠装置５１に取り替えるのにたいへん手間がかかるという問題点もあった。
【０００６】
本発明の目的は、上記課題を解決し、モータを収納するケースを簡単な構成で前面扉の厚さに合わせて多機種の遊技機に共用できる施錠装置を提供することにある。
【課題を解決するための手段】
【０００７】
上記の課題を解決するために、本発明は、遊技機の施錠機構を駆動するモータと、モータを収納するケースとを備え、ケースを前面扉の貫通孔に挿入した施錠装置において、ケースを前面扉の厚さに合わせて延長するパイプを備えたことを特徴とする。パイプはケースに伸縮自在に組み合わされ、ケースの周面にストッパが突設される。パイプの周壁にはストッパに嵌合するスリットが貫通孔の軸線方向へ長く形成され、スリットの長手方向複数個所にパイプの回動によりストッパに選択的に係合する係止部が設けられる。
【０００８】
上記施錠装置において、好ましくは、パイプの周壁にスリットと平行に延びる長溝が形成される。ケースの周面には長溝に嵌合する突起が出没自在に設けられ、突出位置の突起によりパイプの回動が規制される。
【０００９】
また、本発明の施錠装置は、ケースを貫通孔の長さに合わせて延長するキャップを備えたことを特徴とする。ここでは、所要数のキャップがそれぞれに形成した凹部と凸部の嵌合により組み合わされた状態でケースの前端に接続される。
【発明の効果】
【００１０】
本発明の施錠装置によれば、モータを収納したケースにパイプを伸縮自在に組み合わせたので、施錠装置の全長を前面扉の厚さに合わせて簡単かつ短時間に調整することができる。また、ケースとパイプは多機種の前面扉に共用できるため、手動式施錠装置を電動式施錠装置に取り替えるためのコストを大幅に削減することができる。
【００１１】
施錠装置の組付状態では、突起と長溝の嵌合によりパイプの回動が規制され、ストッパと係止部が係合状態にロックされる。このため、外部からパイプを操作できなくなり、貫通孔をパイプで塞いで、不正行為を未然に防止することができる。
【００１２】
また、本発明の施錠装置によれば、所要数のキャップを凹凸嵌合により組み合わせてケースの前端に接続したので、キャップを着脱するだけの簡単な操作で、施錠装置の全長を前面扉の厚さに合わせて短時間に調整することができる。
【発明を実施するための最良の形態】
【００１３】
以下、本発明の実施形態を図面に基づいて説明する。図１〜図５は実施例１の施錠装置を示し、図１は施錠装置の組付形態を示す側面図、図２は施錠装置のケースからパイプを分解して示す斜視図、図３はケースとパイプを組み合わせて図２の反対側から見た斜視図、図４は図１のＡ−Ａ線に沿う断面図、図５は施錠装置を異なる厚さの前面扉に組み付けた状態を示す側面図である。図６〜図８は実施例２の施錠装置を示し、図６は施錠装置の組付形態を示す要部破断側面図、図７は施錠装置のケースからキャップを分解して示す斜視図、図８は施錠装置を異なる厚さの前面扉に組み付けた状態を示す側面図である。図９は施錠機構を示すパチンコ機の斜視図である。
【実施例１】
【００１４】
図１〜図５に示すように、実施例１の施錠装置１１は、モータ１０を収納するケース１２と、ケース１２を延長するパイプ１３とを備え、ケース１２およびパイプ１３が前面扉２の貫通孔９に挿入されている。ケース１２の基部１４にはブラケット１５が設けられ、ネジ１６で前面扉２の背面に取り付けられる。ケース１２の円筒部１７にはモータ１０が収納され、円筒部１７の先端に樹脂製のプラグ１８が嵌着されている。モータ１０のリード線１９はケース１２から外部に引き出され、ブラケット１５の切欠部２０を通してパチンコ機１の制御回路に接続されている。そして、モータ１０の出力軸１０ａにカム５が取着され、モータ１０によりカム５を介して施錠機構３（図９参照）が駆動される。
【００１５】
パイプ１３は金属材料により円筒形に形成され、ケース１２に伸縮自在に（スライドおよび回動可能）に挿入されている。パイプ１３の先端面には樹脂製のキャップ２２が嵌着され、キャップ２２によって貫通孔９の前端面が閉塞される。パイプ１３の周壁にはスリット２３が貫通孔９の軸線方向に長く形成され、スリット２３の長手方向の一側縁に複数の係止部２４が等ピッチで凹設されている。プラグ１８にはストッパ２５がケース１２の周面から突出するように設けられ、パイプ１３の回動によりスリット２３に嵌合する位置（図４ａ参照）と、一つの係止部２４に選択的に係合する位置（図４ｂ参照）とに配置される。
【００１６】
スリット２３から略１８０°離れた位置において、パイプ１３の周壁には長溝２６がスリット２３と同じ長さで平行に延びるように形成されている。プラグ１８には長溝２６に嵌合する突起２７がケース１２の周面に出没自在に設けられ、没入位置の突起２７（図４ａ参照）によってパイプ１３の回動が許容され、突出位置の突起２７（図４ｂ参照）によりパイプ１３の回動が規制される。なお、この実施例では、ストッパ２５と突起２７にそれぞれ止ネジが用いられ、プラグ１８の対称位置に形成されたネジ穴２８，２９に出没自在に螺着されている。
【００１７】
上記構成の施錠装置１１を前面扉２に組み付ける場合には、まず、ストッパ２５と突起２７を共に没入させ、パイプ１３をケース１２に挿入する。次に、ストッパ２５を突出させ、ストッパ２５とスリット２３の嵌合によりパイプ１３をケース１２に伸縮自在に組み合わせる。続いて、パイプ１３をスライドし、施錠装置１１の全長を貫通孔９の長さ（前面扉２の厚さ）に合わせ、パイプ１３を回動し、一つの係止部２４をストッパ２５に係合させる。そして、突起２７を突出させ、突起２７と長溝２６の嵌合によりパイプ１３の回動を規制し、係止部２４とストッパ２５の係合によりパイプ１３をケース１２に伸縮不能に結合する。その後、施錠装置１１を貫通孔９に挿入し、ブラケット１５をネジ１６で前面扉２に固定する。
【００１８】
こうすれば、図５（ａ），（ｂ），（ｃ）に示すように、施錠装置１１の全長を前面扉２の厚さに合わせて簡単かつ短時間に調整することができる。ケース１２とパイプ１３は全機種の前面扉２に共用できるため、従来のように多数の交換部品を用意する必要がなくなり、手動式施錠装置を電動式施錠装置１１に取り替えるためのコストを大幅に削減することができる。組付状態では、長溝２６と突起２７との嵌合によりパイプ１３の回動が規制されるので、外部からパイプ１３を引き出したり押し込んだりすることができず、貫通孔９を常にキャップ２２で塞いで、不正行為を未然に防止することも可能である。
【実施例２】
【００１９】
図６〜図８に示すように、実施例２の施錠装置３１はケース１２を貫通孔９の長さに合わせて延長するためのキャップ３２を備えている。キャップ３２は樹脂で貫通孔９と同径の円板状に成形され、片面に凹部３３が形成され、反対面に凸部３４が設けられている。そして、貫通孔９の空洞部を埋めるに必要な枚数のキャップ３２が凹部３３と凸部３４の嵌合により組み合わされ、ケース１２前端のプラグ３５に接続されている。プラグ３５には基端のキャップ３２が嵌合する凸部３６が設けられ、先端のキャップ３２の前端面が平滑に形成されている。その他の構成は実施例１と同じである。
【００２０】
この施錠装置３１によれば、所要数のキャップ３２を組み合わせることで、図８（ａ），（ｂ），（ｃ）に示すように、施錠装置１１の全長を前面扉２の厚さに合わせて短時間に調整することができる。また、キャップ３２同士が凹部３３と凸部３４の嵌合により結合されているので、工具を使用することなく、所要枚数のキャップ３２を簡単に組み合わせることができる。しかも、同じ形状のキャップ３２を安価に樹脂成形できるため、従来と比較し、部品コストを大幅に削減することも可能である。
【００２１】
本発明は上記実施例の構成に限定されるものではなく、以下に例示するように、発明の趣旨を逸脱しない範囲で適宜に変更して実施することも可能である。
（１）実施例１の施錠装置１１において、ストッパ２５と突起２７にピンまたは鋼球を使用し、ピンまたは鋼球をスプリングでケース１２の周面に出没自在に設けること。
（２）実施例２の施錠装置３１において、キャップ３２の凹部３３と凸部３４を図示例と反対の向きに設けること。
【図面の簡単な説明】
【００２２】
【図１】本発明の実施例１を示す施錠装置の側面図である。
【図２】図１の施錠装置を分解して示す斜視図である。
【図３】図２の反対側から見た施錠装置の斜視図である。
【図４】図１のＡ−Ａ線断面図である。
【図５】図１の施錠装置の作用説明図である。
【図６】本発明の実施例２を示す施錠装置の側面図である。
【図７】図６の施錠装置を分解して示す斜視図である。
【図８】図６の施錠装置の作用説明図である。
【図９】施錠機構を示すパチンコ機の斜視図である。
【図１０】従来の施錠装置を示す側面図である。
【符号の説明】
【００２３】
１    パチンコ機
２    前面扉
３    施錠機構
９    貫通孔
１０    モータ
１１    施錠装置（実施例１）
１２    ケース
１３    パイプ
２３    スリット
２４    係止部
２５    ストッパ
２６    長溝
２７    突起
３１    施錠装置（実施例２）
３２    キャップ
３３    凹部
３４    凸部
【図１】
2008245772.tif 000003
【図２】
2008245772.tif 000004
【図３】
2008245772.tif 000005
【図４】
2008245772.tif 000006
【図５】
2008245772.tif 000007
【図６】
2008245772.tif 000008
【図７】
2008245772.tif 000009
【図８】
2008245772.tif 000010
【図９】
2008245772.tif 000011
【図１０】
2008245772.tif 000012